(57)【要約】【課題】分析システム１において、権限のないユーザによる不測の操作を防止できるようにしながらも、管理装置３の最低限の操作や分析装置２の動作監視は不断に行えるようにする。【解決手段】  管理装置３に対する操作可能範囲をそれぞれ定めた複数段階のアクセスレベル及び各アクセスレベル毎に許可されたユーザを記憶しているアクセスレベル記憶部３１と、入力されたユーザ情報に基づいてユーザを認識するとともに、前記アクセスレベル記憶部３１を参照して該ユーザに設定されているアクセスレベルを特定し、該アクセスレベルに定められた操作可能範囲を設定する操作可能範囲設定部３２とを設け、この操作可能範囲設定部３２が、一のアクセスレベルに基づいて行われている操作が一定期間中断した場合には、アクセスレベルをより小さい操作可能範囲のものに自動変更するようにした。【選択図】図２
2014093061.tif 000002
【特許請求の範囲】
【請求項１】
１以上の分析装置と、前記分析装置を管理する管理装置とを具備した分析システムであって、
前記管理装置が、入力されたユーザ情報に基づいてユーザを認識するとともに、該ユーザの管理装置に対する操作可能範囲を、ユーザ毎に予め定められた初期操作可能範囲に設定する一方、前記ユーザの操作が一定期間中断した場合には、該ユーザの操作可能範囲を、予め定められた基底操作可能範囲に自動変更することを特徴とする分析システム。
【請求項２】
前記管理装置が、該管理装置に対する初期操作可能範囲をそれぞれ定めた複数段階のアクセスレベル及び各アクセスレベル毎に許可されたユーザを記憶しているアクセスレベル記憶部と、入力されたユーザ情報に基づいてユーザを認識するとともに、前記アクセスレベル記憶部を参照して該ユーザに設定されているアクセスレベルを特定し、該ユーザの管理装置に対する操作可能範囲を前記アクセスレベルに定められた初期操作可能範囲に設定する操作可能範囲設定部とを具備するものであり、
前記操作可能範囲設定部は、一のアクセスレベルに基づいて行われている操作が一定期間中断した場合には、前記基底操作可能範囲が定められているアクセスレベルである基底アクセスレベルに自動変更することを特徴とする請求項１記載の分析システム。
【請求項３】
前記基底アクセスレベルが、最小操作可能範囲のアクセスレベルであることを特徴とする請求項２記載の分析システム。
【請求項４】
前記操作可能範囲設定部は、操作可能範囲を変更した場合に、変更直前の画面を、消去操作されない限り、そのまま表示することを特徴とする請求項１〜３いずれか記載の分析システム。
【請求項５】
測定開始や校正開始など、分析装置に対する所定の実行命令が指示された場合には、前記操作可能範囲設定部は、分析装置による該実行が終了してから操作が一定期間なされなかった場合に、前記基底操作可能範囲に自動変更することを特徴とする請求項１〜４いずれか記載の分析システム。
【請求項６】
１以上の分析装置を管理する管理装置であって、
入力されたユーザ情報に基づいてユーザを認識するとともに、該ユーザの管理装置に対する操作可能範囲を、ユーザ毎に予め定められた初期操作可能範囲に設定する一方、前記ユーザの操作が一定期間中断した場合には、該ユーザの操作可能範囲を、予め定められた基底操作可能範囲に自動変更することを特徴とする管理装置。
【発明の詳細な説明】
【技術分野】
【０００１】
本発明は、内燃機関の排ガス等を分析する１以上の分析装置とそれらを統括管理する管理装置とを具備した分析システムに関するものである。
【背景技術】
【０００２】
種々の設定や校正、準備操作、メンテナンス等を必要とするこの種の分析装置では、従来、特許文献１の段落００４８に示されているように、アクセスレベルを複数段階に分け、ＩＤやパスワード入力によりアクセスレベルを特定することにより、アクセスレベルに応じた操作可能範囲を定めるようにしている。分析装置に係る全ての操作をユーザ一律に可能とすると、例えば未熟なユーザの使用により、データの改竄、消去や分析装置の誤動作、破損などの不測の事態が起こり得るからである。
【先行技術文献】
【特許文献】
【０００３】
【特許文献１】特許第４３０３４９２号公報
【発明の概要】
【発明が解決しようとする課題】
【０００４】
しかしながら、例えば、アクセスレベルの高いハイレベルユーザがログオフせずにコンソールを離れたりすると、不特定第三者による操作が可能となり、上述したと同様の問題が発生し得る。
【０００５】
そこで、パソコンのように、一定期間操作が中断するとログイン画面に戻り、再ログインしなければ操作不能となるように構成することも考えられる。しかし、分析システムにおいては、各分析装置の動作状況を常に見えるようにしておくことが重要で、これが一時的にせよ、確認できなくなったり、操作不能になったりするのは好ましくない。
【０００６】
本発明は、このような分析システム特有の事情に鑑みてなされたものであって、権限のないユーザによる不測の操作を防止できるようにしながらも、管理装置の最低限の操作や分析装置の動作監視は不断に行えるようにすべく図ったものである。
【課題を解決するための手段】
【０００７】
すなわち本発明に係る分析システムは、１以上の分析装置と、前記分析装置を管理する管理装置とを具備したものであって、
前記管理装置が、入力されたユーザ情報に基づいてユーザを認識するとともに、該ユーザの管理装置に対する操作可能範囲を、ユーザ毎に予め定められた初期操作可能範囲に設定する一方、前記ユーザの操作が一定期間中断した場合には、該ユーザの操作可能範囲を、予め定められた基底操作可能範囲に自動変更することを特徴とするものである。
【０００８】
ここで、操作とは、管理装置における画面の開閉、分析装置へのコマンド入力、種々の設定入力、印字命令などのことである。また、基底操作可能範囲とは、例えば、管理装置や分析装置に対する最低限の操作や動作監視等を行うことができる操作範囲のことである。
【０００９】
より具体的には、前記管理装置が、該管理装置に対する操作可能範囲をそれぞれ定めた複数段階のアクセスレベル及び各アクセスレベル毎に許可されたユーザを記憶しているアクセスレベル記憶部と、入力されたユーザ情報に基づいてユーザを認識するとともに、前記アクセスレベル記憶部を参照して該ユーザに設定されているアクセスレベルを特定し、該ユーザの管理装置に対する操作可能範囲を前記アクセスレベルに定められた操作可能範囲を設定する操作可能範囲設定部とを具備するものであり、前記操作可能範囲設定部が、一のアクセスレベルに基づいて行われている操作が一定期間中断した場合には、前記基底操作可能範囲が定められているアクセスレベルである基底アクセスレベルに自動変更するものであることが望ましい。
【００１０】
履歴の改竄や分析装置の誤操作、破損などのような不測の事態をより確実に防止するには、前記操作可能範囲設定部による基底アクセスレベルを、最小操作可能範囲のアクセスレベルにしておくことが望ましい。
【００１１】
継続的な監視や状況把握が必要な事項等を画面に表示している場合は、それが下位レベルユーザ（より操作可能範囲の小さいユーザ）では見ることのできないものであっても、消去操作されない限り、基底操作可能範囲に自動変更後も、そのまま表示されるように構成してよい。ただし、その画面において、下位レベルユーザの操作は不可能なようにロックしておく必要がある。
【００１２】
操作が不必要に煩雑になることを防ぐには、測定開始や校正開始など、分析装置に対する所定の実行命令が入力された場合には、分析装置による該実行が終了してから操作が一定期間なされなかった場合に、基底操作可能範囲に自動変更するように構成しておくことが好適である。
【発明の効果】
【００１３】
このように構成した本発明によれば、操作可能範囲の大きい上位レベルユーザがログオフせずにコンソールを離れたりして一定期間が過ぎると、基底操作可能範囲に自動ダウンし、当該上位レベルユーザに設定された重要度の高い操作は不可能になるので、権限のないユーザによる不測の操作を防止できる。
【００１４】
一方、下位レベルユーザに許されている基底操作は途切れることなく担保されるので、管理装置の最低限の操作や分析装置の動作監視等を不断に行うことができるという効果を得られる。
【図面の簡単な説明】
【００１５】
【図１】本発明の一実施形態における分析システムの全体構成図。
【図２】同実施形態において表示されるウィンドウの一例を示す画面構成図。
【図３】同実施形態において表示されるウィンドウの一例を示す画面構成図。
【発明を実施するための形態】
【００１６】
以下に本発明の一実施形態について図面を参照して説明する。
【００１７】
本実施形態に係る分析システム１は、図１に示すように、車両内燃機関の排ガスをサンプリングしてその成分濃度や燃費、ＥＧＲ率等を分析・算出するものであって、複数の排ガス分析装置２（例えばＣＶＳ装置やＥＧＲ率測定装置、あるいは内部に複数の排ガス分析ユニットを有した排ガス総合分析装置など）と、各分析装置２に動作コマンドを送信したり、設定や校正をしたり、測定データを吸い上げたりしてこれらを統括管理する管理装置３とを具備している。
【００１８】
しかしてこの実施形態では、この管理装置３において、ユーザのアクセスレベルを複数段階に分けるとともに、ユーザによる管理装置３の操作が一定期間（以下、パーミッションタイムとも言う。）なされなかったときには、アクセスレベルが自動的に基底アクセスレベルである最低レベルにダウンするように構成している点に特徴を有する。
そこで、このアクセスレベルに係る管理装置３の種々の機能について、以下に説明する。
【００１９】
管理装置３は、物理的には、ＣＰＵ、メモリ、通信デバイス、ディスプレイ、入力手段（マウスやキーボード等）等を具備したものである。そして、前記メモリに記憶された所定のプログラムにしたがってＣＰＵやその周辺機器が協働することにより、アクセスレベル記憶部３１、操作可能範囲設定部３２等としての機能を発揮する。
【００２０】
アクセスレベル記憶部３１には、当該管理装置に対する操作可能範囲を定めるための複数段階のアクセスレベル及び各アクセスレベル毎に許可されたユーザが記憶されている。
【００２１】
アクセスレベルとして、ここでは、最低レベルから順に、Ｏｐｅｒａｔｏｒ、Ｓｕｐｅｒｖｉｓｏｒ、Ａｄｍｉｎｉｓｔｒａｔｏｒ、Ｓｅｒｖｉｃｅ、Ｍａｎｕｆａｃｔｕｒｅ、Ｄｅｖｅｌｏｐｅｒの５つが例えば設定してある。そして、各アクセスレベルに対して、操作可能範囲が紐付けられているとともに、ユーザを識別するためのユーザ識別子が紐付けられている。
【００２２】
操作可能範囲設定部３２は、図示しないログイン画面においてユーザから入力されたユーザ情報（ここでは、ユーザ識別子及びパスワード）に基づいて該ユーザを認識するとともに、前記アクセスレベル記憶部３１を参照して該ユーザに設定されているアクセスレベルを特定し、該アクセスレベルに定められた操作可能範囲を設定するものである。
【００２３】
さらに、ここでは、前記操作可能範囲設定部３２によって、あるアクセスレベルに基づいて行われているコンソール操作（例えば、ウィンドウ画面の開閉、分析装置への実行指令入力や種々設定入力、印字操作など）が一定期間中断した場合は、最小操作可能範囲のアクセスレベルであるＯｐｅｒａｔｏｒレベルに自動変更されるように構成してある。例えば、このＯｐｅｒａｔｏｒレベルのユーザが操作できる範囲とは、分析装置や管理装置（あるいは分析システムを含む車両試験設備全体）の起動や停止に加え、試験（分析装置による測定や車両試験設備が有するダイナモなどの機器動作）の準備、運転、片付けなど、本分析システムの通常動作・運用に係る操作範囲のことである。一方、例えばＳｕｐｅｒｖｉｓｏｒレベルになると、本分析システムの管理、すなわち、定期メンテナンスや診断、調整などの操作ができるようにしてある。
【００２４】
次に、この管理装置３の動作の一例を以下に説明する。
この管理装置３には、例えば、分析装置２を構成する種々の機器それぞれの通算動作時間を示すとともに、機器毎に定められた許容時間を超えたときや近づいたときに警告を発生する機能があり、この機能は、例えば、図２に示すような画面（予防保全ウィンドウ）Ｗ１を開くことによって発揮される。
【００２５】
この予防保全ウィンドウＷ１には、例えば、機器名と、機器毎の現在の通算動作時間や許容時間、残時間がリスト形式で表示されており、残時間が０に近づくと、残時間が表示されて警告を発するように構成されている。また、機器毎にリセットボタンＢ１と詳細ボタンＢ２とが設けられており、リセットボタンＢ１をクリックすると、該機器の通算動作時間を０にすることができるとともに、詳細ボタンＢ２をクリックすると、図示しない詳細設定ウィンドウが別に開いて、許容時間や警告タイミング等の設定を変更できるようにしてある。
【００２６】
Ｏｐｅｒａｔｏｒレベルのユーザは、前記操作可能範囲設定部３２の規制によって、前記予防保全ウィンドウＷ１を開いて各機器の通算動作時間等を見ることはできるが、リセットボタンＢ１と詳細ボタンＢ２を操作することはできない。例えば、各ボタンＢ１、Ｂ２が、表示されないか、薄字になってクリック不能となる。
一方、例えば、Ａｄｍｉｎｉｓｔｒａｔｏｒレベルのユーザは、リセットボタンＢ１を操作することはできるが、詳細ボタンＢ２を操作することはできない。
Ｓｅｒｖｉｃｅレベル以上のユーザは、いずれのボタンＢ１、Ｂ２も操作することができ、かつ詳細設定ウィンドウ内で、各設定を変更することができる。
【００２７】
そこで、Ｓｅｒｖｉｃｅレベル以上のユーザが、前記予防保全ウィンドウＷ１を開いた状態で、なんら操作を行わないまま、パーミションタイムが過ぎると、前記操作可能範囲設定部３２が動作して、アクセスレベルをＯｐｅｒａｔｏｒレベルに自動ダウンし、リセットボタンＢ１と詳細ボタンＢ２との操作を禁止する。
【００２８】
別の例を挙げると、この管理装置３において、最上位レベルであるＤｅｖｅｌｏｐｅｒレベルのユーザは、図３に示すユーザ設定ウィンドウＷ２を開くことができ、各ユーザのアクセスレベルやユーザ情報などを変更することができる。
【００２９】
なお、アクセスレベルは、リスト欄Ｌ１に表示され、このリスト欄Ｌ１で選択されたアクセスレベルに属するユーザ名が、リスト欄Ｌ２に表示される。そして、リスト欄Ｌ２で選択したユーザの詳細情報がユーザ情報欄Ｌ３に表示されるので、Ｄｅｖｅｌｏｐｅｒレベルユーザは、このユーザ情報欄Ｌ３を編集することにより、該ユーザのアクセスレベルやユーザ情報などを変更することができる。
【００３０】
そして、このユーザ設定ウィンドウＷ２を開いたまま、操作を行わないでパーミションタイムが過ぎると、アクセスレベルがＯｐｅｒａｔｏｒレベルに自動ダウンし、該ウィンドウＷ２は表示されるものの、その操作を、ウィンドウＷ２のＣｌｏｓｅ操作を除き、一切行えなくなる。
【００３１】
また、アクセスレベルの自動ダウン後は、ウィンドウＷ２を一旦Ｃｌｏｓｅすると、Ｏｐｅｒａｔｏｒレベルの権限のままでは、もはやこのウィンドウＷ２を開くことはできなくなる。
【００３２】
さらに他の例を挙げると、例えば、分析結果が逐次表示されている図示しない分析データ表示ウィンドウの中には、種々のボタンやタブが設定されているが、このうちの所定のものは、所定アクセスレベル以上のユーザのみが使用できる。このようなボタンやタブは、アクセスレベルの自動ダウンが行われると、操作できなくなるか、非表示となる。
【００３３】
しかして、かかる構成の本実施形態によれば、上位アクセスレベルユーザがログオフせずにコンソールを離れたりして一定期間が過ぎると、最下位アクセスレベルに自動ダウンし、当該上位アクセスレベルに設定された重要度の高い操作はできなくなるので、権限のないユーザによる不測の操作を防止できる。
【００３４】
一方、最下位アクセスレベルユーザの操作については、再ログイン不要で途切れることなく担保されるので、管理装置の最低限の操作や分析装置の動作監視等を不断に行うことができるという効果を得られる。
【００３５】
なお、本発明は前記実施形態に限られるものではない。
例えば、前記実施形態では、各ユーザの操作可能範囲を、アクセスレベルという複数段階の範囲に分類して、いずれかのアクセスレベルに各ユーザが属するように構成していたが、アクセスレベルという概念を介さず、ユーザ毎に許可された操作可能範囲、すなわち請求項で言う初期操作可能範囲を設定できるようにしてもよい。
【００３６】
具体的には、ユーザ毎に対応付けられた初期操作可能範囲をメモリに設定した初期操作可能範囲記憶部（図示しない）に記憶させておく。また、前記最下位アクセスレベルの操作可能範囲に対応する操作可能範囲である基底操作可能範囲を予め規定し、これをメモリに設定した基底操作可能範囲記憶部（図示しない）に記憶させておく。
【００３７】
そして、前記ユーザがログイン等したときに、前記操作可能範囲設定部が、前記初期操作可能範囲記憶部を参照して該ユーザの操作可能範囲を該ユーザに対応付けられた初期操作可能範囲に設定する一方、該ユーザによる操作が一定期間中断した場合には、該ユーザの操作可能範囲を、前記基底操作可能範囲に自動変更する。
このようなものであれば、ユーザ毎に、よりきめ細やかな初期操作可能範囲を設定することができる。
【００３８】
また、例えば、元来、最下位アクセスレベルのユーザが開くことのできないウィンドウを、上位アクセスレベルユーザが開いており、パーミッションタイムが過ぎたときは、そのウィンドウを自動的に閉じるようにしても構わない。そもそも最下位アクセスレベルのユーザが開くことのできないウィンドウは、監視等の観点からは不要なものだからである。
【００３９】
パーミションタイムは、機能毎、アクセスレベル毎に異ならせても構わない。下位レベルユーザに操作されては困る重要性の高いものほど、パーミションタイムを小さくするといった態様が考えられる。
【００４０】
分析装置に対する動作実行命令等においては、命令入力後、分析装置の該動作が終了するまでは、操作が不要で待機期間が発生する場合がある。例えば、校正コマンドを押してから校正が終了するまでには待機期間が発生するが、この待機期間の間にパーミションタイムが過ぎてアクセスレベルが自動ダウンすると、待機後、再度ログインしなければならず、操作が煩雑になる。そこで、このような場合は、待機期間の終了後、パーミションタイムが進むようにしても構わない。
【００４１】
パーミションタイムが過ぎたとき、アクセスレベルを必ずしも最下位レベルにまで落とす必要はなく、順次、アクセスレベルがダウンするような態様でも構わない。つまり、基底アクセスレベルとは、必ずしも最下位アクセスレベルである必要はなく、上述したように時間的に変動させることも可能であるし、分析システムの運用態様によっては、基底アクセスレベルを最下位レベルよりも上位のアクセスレベルに設定することも可能である。基底操作可能範囲についても同様である。
その他、本発明は前記実施形態に限られず、その趣旨を逸脱しない範囲で種々の変形が可能である。
【符号の説明】
【００４２】
１・・・分析システム
２・・・分析装置
３・・・管理装置
３１・・・アクセスレベル記憶部
３２・・・操作可能範囲設定部
【図１】
2014093061.tif 000003
【図２】
2014093061.tif 000004
【図３】
2014093061.tif 000005